(57)【特許請求の範囲】
【請求項１】
浴槽内に収容され発酵することで熱を持つ有機物を掻き混ぜるように回転可能なスクリュー部と、
前記スクリュー部が回転するように回転力を与えることが可能な本体部と、
前記浴槽の枠部に架設可能であり、前記浴槽上の所定の位置に前記本体部を案内するためのレール部と、
前記本体部を前記レール部上で移動させるように操作するためのハンドル部と、
を備え、
前記スクリュー部は、
前記本体部の回転出力軸に連結される回転軸部を中心とし、径方向に延びる接続部材により前記回転軸部に接続されるリング部と、
長手方向が前記回転軸部の軸方向に一致するように前記リング部に設けられる複数の攪拌棒部と、
を有し、
前記複数の攪拌棒部は、前記リング部の周方向に隣り合う攪拌棒部が前記リング部の内側又は外側に交互に配置されたジグザグ状となるように設けられ、下部が前記浴槽内の前記有機物に挿入されて上部が前記有機物から突出した状態で設置されて、前記リング部の回転に応じて回転することで前記有機物に空気を取り込んで掻き混ぜることを特徴とする酵素風呂用攪拌装置。
【請求項２】
浴槽内に収容され発酵することで熱を持つ有機物を掻き混ぜるように回転可能なスクリュー部と、
前記スクリュー部が回転するように回転力を与えることが可能な本体部と、
前記浴槽の枠部に架設可能であり、前記浴槽上の所定の位置に前記本体部を案内するためのレール部と、
前記本体部を前記レール部上で移動させるように操作するためのハンドル部と、
を備え、
前記スクリュー部は、
前記本体部の回転出力軸に連結される回転軸部を中心とし、径方向に延びる接続部材により前記回転軸部に接続されるリング部と、
長手方向が前記回転軸部の軸方向に一致するように前記リング部に設けられる複数の攪拌棒部と、
を有し、
前記複数の攪拌棒部は、前記リング部の周方向に隣り合う攪拌棒部が前記リング部の内側又は外側に交互に配置されたジグザグ状となるように設けられる酵素風呂用攪拌装置を用いて有機物に空気を取り込んで掻き混ぜる方法であって、
前記複数の攪拌棒部の下部を前記浴槽内の前記有機物に挿入し上部を前記有機物から突出した状態で設置し、前記リング部の回転によって前記複数の攪拌棒部を回転させることで空気を前記有機物に取り込む工程を備えることを特徴とする方法。
【発明の詳細な説明】
【技術分野】
【０００１】
本発明は、酵素風呂用攪拌装置に関する。
【背景技術】
【０００２】
近年、美容や健康などに良い等の理由により、酵素風呂が流行している。本発明に関連する技術として、例えば、特許文献１には、食材を保持するための攪拌容器と、該攪拌容器内の食材を攪拌子で攪拌するための攪拌機と、該攪拌機を支持するための攪拌機支持部材とを有し、前記攪拌機支持部材は、前記攪拌機を上方で支持するための一組の支持棒と、該支持棒を固定するための架台と、前記攪拌容器を固定し、かつ前記攪拌容器を昇降可能とする支持アームと、該支持アームを昇降するための昇降手段とを備え、前記攪拌機は、攪拌子に回転力を付与するための回転主軸と、該回転主軸の回転速度を制御し、かつ前記支持棒の上端部に載置されるギアドモータとを備えたことを特徴とする食材の攪拌装置が開示されている。
【０００３】
また、特許文献２には、調理物を入れるボウルを着脱自在な台座と、前記台座の上部に設けられた回動軸に回動自在に設けられ、ハンドミキサー本体を着脱自在に保持するミキサー保持部と、前記ミキサー保持部の回動動作を規制する回動規制部と、を備え、前記回動規制部は、前記ミキサー保持部に一体的に設けられた回転板と、前記台座の内部に向かって進退移動可能なスタンドスイッチと、前記スタンドスイッチに一体的に設けられたスイッチ軸と、を備え、前記回動軸から前記回転板の離れた外周部には、前記スイッチ軸と係合することにより、前記ハンドミキサー本体に取り付けられたビータが前記ボウル内に位置するように前記ミキサー保持部を閉位置で固定する閉固定部と、前記ビータが前記ボウル内から退避するように前記ミキサー保持部を開位置で固定する開固定部とが設けられている、ハンドミキサー用スタンドが開示されている。
【先行技術文献】
【特許文献】
【０００４】
【特許文献１】特開２００５−２４５３７５号公報
【特許文献２】特開２０１２−１４８０６１号公報
【発明の概要】
【発明が解決しようとする課題】
【０００５】
酵素風呂は、美容や健康に良い等の理由で、特に女性から人気があるが、所定の時間毎に酵素風呂内の有機物を掻き混ぜる必要があり、掻き混ぜるための掻き混ぜ器具などを用いて手動で掻き混ぜることも可能であるが時間がかかり重労働である。
【０００６】
本発明の目的は、簡便に酵素風呂内の有機物を掻き混ぜることを可能とする酵素風呂攪拌装置を提供することである。
【課題を解決するための手段】
【０００７】
本発明に係る酵素風呂用攪拌装置は、浴槽内に収容され発酵することで熱を持つ有機物を掻き混ぜるように回転可能なスクリュー部と、前記スクリュー部が回転するように回転力を与えることが可能な本体部と、前記浴槽の枠部に架設可能であり、前記浴槽上の所定の位置に前記本体部を案内するためのレール部と、前記本体部を前記レール部上で移動させるように操作するためのハンドル部と、を備え、前記スクリュー部は、前記本体部の回転出力軸に連結される回転軸部を中心とし、径方向に延びる接続部材により前記回転軸部に接続されるリング部と、長手方向が前記回転軸部の軸方向に一致するように前記リング部に設けられる複数の攪拌棒部と、を有し、前記複数の攪拌棒部は、前記リング部の周方向に隣り合う攪拌棒部が前記リング部の内側又は外側に交互に配置されたジグザグ状となるように設けられ、下部が前記浴槽内の前記有機物に挿入されて上部が前記有機物から突出した状態で設置されて、前記リング部の回転に応じて回転することで前記有機物に空気を取り込んで掻き混ぜることを特徴とする。
【０００８】
また、本発明に係る方法は、浴槽内に収容され発酵することで熱を持つ有機物を掻き混ぜるように回転可能なスクリュー部と、前記スクリュー部が回転するように回転力を与えることが可能な本体部と、前記浴槽の枠部に架設可能であり、前記浴槽上の所定の位置に前記本体部を案内するためのレール部と、前記本体部を前記レール部上で移動させるように操作するためのハンドル部と、を備え、前記スクリュー部は、前記本体部の回転出力軸に連結される回転軸部を中心とし、径方向に延びる接続部材により前記回転軸部に接続されるリング部と、長手方向が前記回転軸部の軸方向に一致するように前記リング部に設けられる複数の攪拌棒部と、を有し、前記複数の攪拌棒部は、前記リング部の周方向に隣り合う攪拌棒部が前記リング部の内側又は外側に交互に配置されたジグザグ状となるように設けられる酵素風呂用攪拌装置を用いて有機物に空気を取り込んで掻き混ぜる方法であって、前記複数の攪拌棒部の下部を前記浴槽内の前記有機物に挿入し上部を前記有機物から突出した状態で設置し、前記リング部の回転によって前記複数の攪拌棒部を回転させることで空気を前記有機物に取り込む工程を備えることを特徴とする。
【発明の効果】
【０００９】
本発明によれば、簡便に酵素風呂内の有機物を掻き混ぜることができる。
【図面の簡単な説明】
【００１０】
【図１】本発明に係る実施形態の酵素用攪拌装置の側面図である。
【図２】本発明に係る実施形態の酵素用攪拌装置の平面図である。
【図３】本発明に係る実施形態の酵素用攪拌装置のスクリュー部の平面図である。
【図４】本発明に係る実施形態の酵素用攪拌装置を用いて、酵素風呂の浴槽の有機物を掻き混ぜている様子を示す図である。
【図５】本発明に係る実施形態の酵素用攪拌装置の試作品の正面図である。
【図６】本発明に係る実施形態の酵素用攪拌装置の試作品の背面図である。
【図７】本発明に係る実施形態の酵素用攪拌装置の試作品の左側面図である。
【図８】本発明に係る実施形態の酵素用攪拌装置の試作品の右側面図である。
【図９】本発明に係る実施形態の酵素用攪拌装置の試作品の平面図である。
【図１０】本発明に係る実施形態の酵素用攪拌装置の試作品の底面図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本発明に係る実施形態の酵素用攪拌装置１０の側面図である。図２は、本発明に係る実施形態の酵素用攪拌装置１０の平面図である。
【００１３】
図３は、本発明に係る実施形態の酵素用攪拌装置１０のスクリュー部１２の平面図である。図４は、本発明に係る実施形態の酵素用攪拌装置１０を用いて、酵素風呂の浴槽２の有機物４を掻き混ぜている様子を示す図である。
【００１４】
図５は、本発明に係る実施形態の酵素用攪拌装置１０の試作品の正面図である。図６は、本発明に係る実施形態の酵素用攪拌装置１０の試作品の背面図である。
【００１５】
図７は、本発明に係る実施形態の酵素用攪拌装置１０の試作品の左側面図である。図８は、本発明に係る実施形態の酵素用攪拌装置１０の試作品の右側面図である。
【００１６】
図９は、本発明に係る実施形態の酵素用攪拌装置１０の試作品の平面図である。図１０は、本発明に係る実施形態の酵素用攪拌装置１０の試作品の底面図である。
【００１７】
酵素用攪拌装置１０は、酵素風呂の浴槽２内に収容される有機物４を掻き混ぜる装置である。酵素用攪拌装置１０は、スクリュー部１２と、本体部１４と、レール部１６と、ハンドル部１８とを備えている。浴槽２は、ヒノキなどの材質で構成されるものとして説明するが、もちろん、その他の材質であってもよい。
【００１８】
酵素風呂とは、ヒノキのおがくずや米ぬかに酵素液と呼ばれる野草などの植物から抽出された液体を加えた有機物４を用い、電気やガスなどの人工熱源は使用せずに微生物の活動によって発生した自然の発酵熱を利用した温浴法であり、酵素風呂は、血行促進やデトックス効果や美肌効果が期待できる。
【００１９】
酵素の働きによる発酵熱の温度は、高い時では約７０度ほどで、実際にヒノキのおがくずや米ぬかのクッションを通じて体感する温度は約５０度前後となる。
【００２０】
酵素の品質を保つためには、手入れが必要で、具体的には、おがくずや米ぬかの状態をしっかり確認し、水分や資材の調整を行い、掻き混ぜることで発酵を促し、発酵温度を上げる。
【００２１】
スクリュー部１２は、浴槽２内に収容され発酵することで熱を持つ有機物４を掻き混ぜるように回転可能な部材である。
【００２２】
スクリュー部１２は、本体部１４に含まれる電動機の出力軸に接続される。スクリュー部１２は、適度な強度を有する材質、例えば、ステンレスを用いて構成することができる。
【００２３】
スクリュー部１２は、回転軸部１２Ａと、リング部１２Ｂと、複数の攪拌棒部１２ａ，１２ｂ，１２ｃ，１２ｄ，１２ｅ，１２ｆとを備えている。
【００２４】
リング部１２Ｂは、スクリュー部１２の回転方向（図３の矢印Ｘ方向）に沿った環状を有し、所定の直径を有する部材である。リング部１２Ｂは、断面が円である部材であり、当該円の直径は、例えば、６ｍｍの厚みに設定することができる。もちろん、当該直径は例示であり、適宜変更することができる。
【００２５】
スクリュー部１２は、回転軸部１２Ａが本体部１４の電動機の出力軸に接続されて延伸し、回転軸部１２Ａと所定の直径を有するリング部１２Ｂは径方向に延びる接続部材によって接続されている。
【００２６】
攪拌棒部１２ａ〜１２ｆは、長手方向がリング部１２Ｂの軸方向に一致するようにリング部１２Ｂに設けられる。ここで、リング部１２Ｂの軸方向とは、リング部１２が回転する回転軸部１２Ａの軸方向と一致している。
【００２７】
攪拌棒部１２ａ〜１２ｆは、リング部１２Ｂの周方向に隣り合う攪拌棒部がリング部１２Ｂの内側又は外側に交互に配置されたジグザグ状となるように設けられている。
【００２８】
ここで、６本の攪拌棒部１２ａ〜１２ｆは、リング部１２Ｂの内側に設けられる３本の内側棒部材である攪拌棒部１２ａ，１２ｃ，１２ｅと、リング部１２Ｂの外側に設けられる３本の外側棒部材である攪拌棒部１２ｂ，１２ｄ，１２ｆで構成されている。
【００２９】
内側棒部材である攪拌棒部１２ａ，１２ｃ，１２ｅと外側棒部材であると攪拌棒部１２ｂ，１２ｄ，１２ｆが隣り合うように、図３に示されるように、リング部１２Ｂに均等な間隔で設けられている。６本の攪拌棒部を配置する場合には、３６０÷６＝６０となり、６本の攪拌棒部１２ａ〜１２ｆは６０°ずつ間隔開けた状態で配置される。
【００３０】
リング部１２Ｃは、リング部１２Ｂと同様の形状を有している。リング部１２Ｂは、図１に示されるように、６本の攪拌棒部１２ａ〜１２ｆの上端部に設けられているが、リング部１２Ｃはリング部１２Ｂよりも下方に所定の距離をおいて取り付けられている。これにより、６本の攪拌棒部１２ａ〜１２ｆの安定性を強化することができる。
【００３１】
本体部１４は、スクリュー部１２が回転するように回転力を与えることが可能な装置である。本体部１４は、商用電源から供給される電力を用いて回転する電動機を有しており、出力軸に接続されるスクリュー部１２を回転させることができる。
【００３２】
本体部１４は、例えば、単相交流５０Ｈｚ／６０Ｈｚ、電圧が１００Ｖで動作し、電動機は単相直巻整流子モータを含んで構成されており、回転数は、０〜１，２００ｍｉｎ−１（回／分）である。
【００３３】
レール部１６は、浴槽２の凸状形状である枠部２ａ，２ｂに架設可能であり、浴槽２上の所定の位置に本体部１４を案内するためのレールである。レール部１６は、適度な強度を有する材質、例えば、ステンレスを用いて構成することができる。
【００３４】
レール部１６は、浴槽２の幅方向に沿って跨るような長さを有しており、両端部には、浴槽２の枠部２ａ，２ｂに係合するための凹部１６ａ，１６ｂが形成されている。レール部１６は、浴槽２の幅に応じて長さを調整可能な長さ調整機構が形成されている。
【００３５】
ハンドル部１８は、本体部１４をレール部１６上で移動させるように操作するための操作ハンドルである。ハンドル部１８は、本体部１４からレール部１６の上方に向けて湾曲して形成されている。
【００３６】
ハンドル部１８は、適度な強度を有する材質、例えば、ステンレスを用いて構成することができる。図４に示されるように、スクリュー部１２を左端部に位置させた状態からハンドル部１８を引くことで右側に移動させることができる。すなわち、ハンドル部１８を用いて、図４に示される矢印方向に本体部１４を移動させることができる。
【００３７】
続いて、上記構成の酵素用攪拌装置１０の作用について説明する。近年、ヒノキのおがくずや米ぬかに酵素液と呼ばれる野草などの植物から抽出された液体を加えた有機物４を用い、微生物の活動によって発生した自然の発酵熱を利用した酵素風呂が注目されている。
【００３８】
しかし、酵素風呂は、おがくずや米ぬかの状態をしっかり確認し、水分や資材の調整を行い、掻き混ぜることで発酵を促し、発酵温度を上げる等といった定期的なメンテナンスが必要である。
【００３９】
従来、このようなメンテナンスには、有機物２（酵素）を掻き混ぜるための掻き混ぜ器具等を用いて掻き混ぜていたが、結構な重労働であった。本発明は、このようなメンテナンスにおいて顕著な効果を発揮する。
【００４０】
最初に、酵素用攪拌装置１０を準備して、レール部１６の両端部である凹部１６ａ，１６ｂを浴槽２の枠部２ａ，２ｂに係合させることによってレール部１６を浴槽２に架設させる。次に、本体部１４の電源コンセントを商用電源コンセントに差し込んで、本体部１４を作動させる。
【００４１】
そして、本体部１４の電動機が回転することにより、回転軸部１２Ａが回転し、これによってリンク部１２Ｂ，１２Ｃ及び攪拌棒部１２ａ，１２ｂ，１２ｃ，１２ｄ，１２ｅ，１２ｆが図３で示される矢印Ｘ方向に回転する。
【００４２】
ここで、図３に示されるように、スクリュー部１２の攪拌棒部１２ａ〜１２ｆは、リング部１２Ｂの周方向に隣り合う攪拌棒部がリング部１２Ｂの内側又は外側に交互に配置されたジグザグ状となるように設けられている。
【００４３】
隣接する攪拌棒部１２ａと攪拌棒部１２ｂとはリング部１２Ｂの内側と外側に設けられているため、回転軸部１２Ａが回転した場合には両者には、リング部１２Ｂの直径（例えば、６ｍｍ）分の隙間が形成されている。これにより、スクリュー部１２の矢印Ｘ方向への回転の際に、攪拌棒部１２ａと攪拌棒部１２ｂの隙間から矢印Ｙ方向に空気が入り込む。
【００４４】
また、攪拌棒部１２ｂと攪拌棒部１２ｃ、攪拌棒部１２ｃと攪拌棒部１２ｄ、攪拌棒部１２ｄと攪拌棒部１２ｅ、攪拌棒部１２ｅと攪拌棒部１２ｆ、及び攪拌棒部１２ｆと攪拌棒部１２ａにも同じサイズの隙間が形成されている。
【００４５】
これにより、スクリュー部１２の矢印Ｘ方向の回転によって、有機物４を掻き混ぜながら隣接する攪拌棒部同士の隙間から有機物４に必要な空気を取り込むことができる。したがって、より好適に有機物４の発酵を促し、発酵温度を上げるなどのメンテナンスを行うことができるという顕著な効果を奏する。
【００４６】
また、酵素用攪拌装置１０によれば、ハンドル部１８を操作することで、例えば、図４に示されるように、浴槽２の左側に位置するスクリュー部１２を回転させながらハンドル部１８を引くことで幅方向に設けられる有機物４に対して空気を取り込みながら掻き混ぜることができるという利点がある。
【００４７】
さらに、上記幅方向の移動が終わると、枠部２ａ，２ｂの長手方向（枠部２ａと枠部２ｂとの間の幅方向と垂直となる方向）に移動させて、再び、同じ動作を繰り返していくことで浴槽２内の全体の有機物４を適切にメンテナスすることができる。したがって、一般的に力作業が得意でない人でも手軽にメンテナンス作業を行うことができる。
【符号の説明】
【００４８】
２  浴槽、２ａ，２ｂ  枠部、４  有機物、１０  酵素用攪拌装置、１２  スクリュー部、１２Ａ  回転軸部、１２Ｂ  リング部、１２Ｃ  リング部、１２ａ，１２ｂ，１２ｃ，１２ｄ，１２ｅ，１２ｆ  攪拌棒部、１４  本体部、１６  レール部、１６ａ，１６ｂ  凹部、１８  ハンドル部。
【要約】      （修正有）【課題】簡便に酵素風呂内の有機物を掻き混ぜることを可能とする酵素風呂攪拌装置を提供する。【解決手段】浴槽２内に収容され発酵することで熱を持つ有機物４を掻き混ぜるように回転可能なスクリュー部１２と、スクリュー部１２が回転するように回転力を与えることが可能な本体部１４と、浴槽２の枠部に架設可能であり、浴槽２上の所定の位置に本体部１４を案内するためのレール部１６と、本体部１４をレール部１６上で移動させるように操作するためのハンドル部１８とを備え、スクリュー部１２は、回転方向に沿った環状を有し、所定の直径を有するリング部１２Ｂと、前記リング部に設けられる複数の攪拌棒部と、を有し、複数の攪拌棒部は、リング部１２Ｂの周方向に隣り合う攪拌棒部がリング部１２Ｂの内側又は外側に交互に配置されたジグザグ状となるように設けられる。【選択図】図４【図１】
0006901808.tif 000002
【図２】
0006901808.tif 000003
【図３】
0006901808.tif 000004
【図４】
0006901808.tif 000005
【図５】
0006901808.tif 000006
【図６】
0006901808.tif 000007
【図７】
0006901808.tif 000008
【図８】
0006901808.tif 000009
【図９】
0006901808.tif 000010
【図１０】
0006901808.tif 000011